(57)【要約】【課題】  正規物品及び不正物品に貼付されたＲＦＩＤタグの固有ＩＤ情報の読み取り及び張り替えによる不正行為の有無を検出することができる、不正使用検出機能付きＲＦＩＤタグを得る。【解決手段】  リーダー／ライターと無線通信を行うためのアンテナ及びＲＦＩＤチップと、相互誘導により発生した誘導起電力を当該ＲＦＩＤチップの駆動電源として蓄積するための充電用コンデンサと、張り替えによる不正行為の有無を検出するための検出素子を基材シートに配設し、更に保護シート及び両面接着シートを前記基材シートに挟着して構成する。また、検出素子の剥離又は破壊により、ＲＦＩＤチップ内に具備したセンサインターフェース回路において電圧，電流，周波数，位相の何れか一つの状態に変化を生じさせ、又はＲＦＩＤ回路内の同調回路において共振周波数ｆ０をΔｆ０分だけ微小変化させてキャリア周波数をｆ０±Δｆ０に変化させる。【選択図】        図１
2007018197.tif 000002
【特許請求の範囲】
【請求項１】
リーダー／ライターと電磁界又は電磁波により無線通信を行うためのアンテナ及びＲＦＩＤチップと、前記ＲＦＩＤチップに接続され相互誘導により発生した誘導起電力を当該ＲＦＩＤチップの駆動電源として蓄積するための充電用コンデンサと、前記ＲＦＩＤチップに接続され張り替えによる剥離又は破壊により当該張り替えによる不正行為の有無を検出するための検出素子を基材シートに配設し、更に保護シート及び両面接着シートを前記基材シートに挟着して構成し、
また、前記ＲＦＩＤタグの張り替えによる検出素子の剥離又は破壊により、ＲＦＩＤチップ内に具備したセンサインターフェース回路において電圧，電流，周波数，位相の何れか一つの状態に変化を生じさせ、ＲＦＩＤタグの固有ＩＤ情報に前記状態変化より得られる真偽データを付加してリーダー／ライターに応答信号を返し、該真偽データが付加された応答信号をリーダー／ライターにて読み取ることにより、キャリア周波数を変えることなく正規物品及び不正物品に貼付されたＲＦＩＤタグの固有ＩＤ情報の読み取り及び張り替えによる不正行為の有無を検出することができることを特徴とする、不正使用検出機能付きＲＦＩＤタグ。
【請求項２】
リーダー／ライターと電磁界又は電磁波により無線通信を行うためのアンテナ及びＲＦＩＤチップと、前記ＲＦＩＤチップに接続され相互誘導により発生した誘導起電力を当該ＲＦＩＤチップの駆動電源として蓄積するための充電用コンデンサと、前記ＲＦＩＤチップに接続され張り替えによる剥離又は破壊により当該張り替えによる不正行為の有無を検出するための検出素子を基材シートに配設し、更に保護シート及び両面接着シートを前記基材シートに挟着して構成し、
また、前記ＲＦＩＤタグの張り替えによる検出素子の剥離又は破壊により、ＲＦＩＤ回路内の同調回路において共振周波数ｆ０をΔｆ０分だけ微小変化させ、リーダー／ライターとの無線通信におけるキャリア周波数をｆ０±Δｆ０に変化させてリーダー／ライターに応答信号を返し、該不正行為が有った場合におけるキャリア周波数ｆ０±Δｆ０と、不正行為が無かった場合におけるキャリア周波数ｆ０の2つのキャリア周波数による応答信号をリーダー／ライターにて読み取ることにより、正規物品及び不正物品に貼付されたＲＦＩＤタグの固有ＩＤ情報の読み取り及び張り替えによる不正行為の有無を検出することができることを特徴とする、不正使用検出機能付きＲＦＩＤタグ。
【発明の詳細な説明】
【技術分野】
【０００１】
本発明は、各種物品に貼付し当該物品の固有ＩＤ情報を非接触方式にて読み書きすることができるＲＦＩＤ（Radio Frequency Identification）タグに関し、特に該ＲＦＩＤタグの張り替えによる不正行為を検出するための、不正使用検出機能付きＲＦＩＤタグに関するものである。
【背景技術】
【０００２】
近年、物品のＩＤ識別による自動認識は、多くのサービス業，製造業，販売業，流通業及び物流などの分野で広範囲に普及している。該ＩＤ識別の手段として、従来からバーコードシステムが一般的であるが、情報の記憶容量が低いことや書換えができないことなどにより、非接触方式にて多くの情報の読み書きが行えるＲＦＩＤタグが普及しつつある。
【０００３】
上記ＲＦＩＤタグは、例えばスーパーの商品に貼付されレジでの精算を能率的に行ったり、パチンコ等の遊戯機の制御基盤のＲＯＭに貼付され当該ＲＯＭの不正交換を防止すること等に使用されている。しかし、前記スーパーの例においては小額商品に貼付されたＲＦＩＤタグと高額商品に貼付されたＲＦＩＤタグとを張り替えることにより高額商品を安価に購入したり、前記遊戯機の制御基盤の例においては正規のＲＯＭに貼付されたＲＦＩＤタグを入賞確率を上げた不正なＲＯＭに張り替えて交換することにより出玉を増やすこと等の不正使用の危惧があった。
【０００４】
このため、例えば特開２００１−１６７２４０号公報の「ＩＣタグ」や特開２００３−３０８５１０号公報の「張り替え防止非接触式タグ」においては、物品に貼付したＲＦＩＤタグを剥がした時点においてアンテナ回路が破壊され、通信不可能状態になることにより張り替えによる不正使用を防止するための方法が記載されている。また、特開２００３−３４６１２１号公報の「不正防止非接触タグ」においては、物品に貼付したＲＦＩＤタグを剥がした時点においてアンテナ回路が形成され、通信可能状態になることにより張り替えによる不正使用を防止するための方法が記載されている。
【０００５】
【特許文献１】特開２００１−１６７２４０
【特許文献２】特開２００３−３０８５１０
【特許文献３】特開２００３−３４６１２１
【発明の開示】
【発明が解決しようとする課題】
【０００６】
しかしながら、上記特開２００１−１６７２４０号公報や特開２００３−３０８５１０号公報における方法においては、不正な張り替えが行われた時点で通信が行われなくなるため、ＲＦＩＤタグシステムの特徴である混在物品の固有ＩＤ情報を一度に読み取るシステム、例えばスーパーの商品かごの中にある複数の商品の固有ＩＤ情報を一度に読み取るような用途において、不正なＲＦＩＤタグを貼付した物品が正しいＲＦＩＤタグを貼付した物品に紛れ込んでも、情報が読み取られないまま消費者の手に渡ってしまう危険性があるといった問題点がある。
【０００７】
また、上記特開２００３−３４６１２１号公報における方法においては、通常は通信ができない状態であり、不正な張り替えが行われた時点より通信が行えることによる一種のアラームとしての用途に使用しており、通常時において物品の固有ＩＤ情報が読み取ることができなければＲＦＩＤタグを使用する価値が全く無く、用途が限定されてしまうといった問題点がある。
【０００８】
本発明は、以上述べたような問題点を解決するために成されたものであり、物品に貼付されるＲＦＩＤタグの固有ＩＤ情報を、不正が行われていない状態は勿論のこと、ＲＦＩＤタグの張り替えによる不正が行われた状態でも読み取ることができると共に前記張り替えによる不正行為の有無も検出することができる、不正使用検出機能付きＲＦＩＤタグを提供することを目的とする。
【課題を解決するための手段】
【０００９】
上記課題を解決するため、本発明の不正使用検出機能付きＲＦＩＤタグにおける第一発明として、リーダー／ライターと電磁界又は電磁波により無線通信を行うためのアンテナ及びＲＦＩＤチップと、前記ＲＦＩＤチップに接続され相互誘導により発生した誘導起電力を当該ＲＦＩＤチップの駆動電源として蓄積するための充電用コンデンサと、前記ＲＦＩＤチップに接続され張り替えによる剥離又は破壊により当該張り替えによる不正行為の有無を検出するための検出素子を基材シートに配設し、更に保護シート及び両面接着シートを前記基材シートに挟着して構成し、また、前記ＲＦＩＤタグの張り替えによる検出素子の剥離又は破壊により、ＲＦＩＤチップ内に具備したセンサインターフェース回路において電圧，電流，周波数，位相の何れか一つの状態に変化を生じさせ、ＲＦＩＤタグの固有ＩＤ情報に前記状態変化より得られる真偽データを付加してリーダー／ライターに応答信号を返し、該真偽データが付加された応答信号をリーダー／ライターにて読み取ることにより、キャリア周波数を変えることなく正規物品及び不正物品に貼付されたＲＦＩＤタグの固有ＩＤ情報の読み取り及び張り替えによる不正行為の有無を検出する。
【００１０】
また、第二発明として、リーダー／ライターと電磁界又は電磁波により無線通信を行うためのアンテナ及びＲＦＩＤチップと、前記ＲＦＩＤチップに接続され相互誘導により発生した誘導起電力を当該ＲＦＩＤチップの駆動電源として蓄積するための充電用コンデンサと、前記ＲＦＩＤチップに接続され張り替えによる剥離又は破壊により当該張り替えによる不正行為の有無を検出するための検出素子を基材シートに配設し、更に保護シート及び両面接着シートを前記基材シートに挟着して構成し、また、前記ＲＦＩＤタグの張り替えによる検出素子の剥離又は破壊により、ＲＦＩＤ回路内の同調回路において共振周波数ｆ０をΔｆ０分だけ微小変化させ、リーダー／ライターとの無線通信におけるキャリア周波数をｆ０±Δｆ０に変化させてリーダー／ライターに応答信号を返し、該不正行為が有った場合におけるキャリア周波数ｆ０±Δｆ０と、不正行為が無かった場合におけるキャリア周波数ｆ０の2つのキャリア周波数による応答信号をリーダー／ライターにて読み取ることにより、正規物品及び不正物品に貼付されたＲＦＩＤタグの固有ＩＤ情報の読み取り及び張り替えによる不正行為の有無を検出する。
【発明の効果】
【００１１】
本発明の不正使用検出機能付きＲＦＩＤタグを各種物品に貼付し当該物品の固有ＩＤ情報を非接触方式にて読み取るようにすれば、不正が行われていない正規物品の固有ＩＤ情報が読み取れるのは勿論のこと、ＲＦＩＤタグの張り替えによる不正が行われた不正物品の固有ＩＤ情報も読み取ることができるため、張り替えによる不正物品の検出が行なえると共に不正行為の有無も検出できるという絶大なる効果を奏する。従って、混在物品の固有ＩＤ情報を一度に読み取るシステムでの用途においては、不正物品が正規物品に紛れ込んで消費者の手に渡ってしまう危険性がなくなるという効果を奏することができる。
【発明を実施するための最良の形態】
【００１２】
本発明を実施するための最良の形態を図を用いて説明する。
【００１３】
図１は本発明の不正使用検出機能付きＲＦＩＤタグの一実施例における表面図であり、図２は図１におけるＡ−Ａ側面断面図である。該図１及び図２の（ａ）に示すように、不正使用検出機能付きＲＦＩＤタグ１は、リーダー／ライターと電磁界又は電磁波により無線通信を行うためのアンテナ２及びＲＦＩＤチップ３と、前記ＲＦＩＤチップ３に接続され相互誘導により発生した誘導起電力を当該ＲＦＩＤチップ３の駆動電源として蓄積するための充電用コンデンサ４と、前記ＲＦＩＤチップ３に接続され張り替えによる剥離又は破壊により当該張り替えによる不正行為を検出するための検出素子５を基材シート７に配設し、更に保護シート６及び両面接着シート８を前記基材シート７に挟着することにより構成する。該基材シート７及び保護シート６は、可撓性を有した合成樹脂フィルムが好適である。なお、前記充電用コンデンサ４はＲＦＩＤタグ１をバッテリーレスにて駆動するためのものであり、容量や大きさに応じてＲＦＩＤチップ３内に配置しても構わない。
【００１４】
また、図２の（ｂ）はＲＦＩＤタグ１を張り替えるため左端より剥がした状態を示している。該状態において、基材シート１の裏面全体に貼付された両面接着シート８の貼着力より検出素子５の裏面に貼付された両面接着シート８ａの貼着力をより大きくすることにより、前記検出素子５は両面接着シート８ａと共に貼付面９に残って剥離する。このため、検出素子５とＲＦＩＤチップ３との接続が切断されることになる。
【００１５】
なお、上記図２では検出素子５の剥離により当該検出素子５とＲＦＩＤチップ３との接続が切断される方法を示したが、張り替えに伴うＲＦＩＤタグ１の撓みにより検出素子５を破壊させ、該破壊により当該検出素子５とＲＦＩＤチップ３との接続が切断される方法であっても構わない。
【００１６】
また、図３は本発明の不正使用検出機能付きＲＦＩＤタグを構成する第一発明の概略ブロック図であり、アンテナ２を、リーダー／ライターに接続したアンテナとの相互誘導により無線通信を行うため同調キャパシタから成る同調回路と、前記相互誘導により発生した誘導起電力の電圧波形を検波したり当該誘導起電力を半波又は全波整流して直流電圧を取り出すための整流回路２１と、前記検波したキャリアを分周してシステムクロックを生成するためのクロック生成回路２２と、信号受信時においてキャリアから信号を取り出す復調動作を行ったり信号送信時においてスイッチング素子により変調動作を行うための変復調回路２３から成るＲＦＩＤ回路１０に接続する。（後述の図８参照）また、該ＲＦＩＤ回路１０に、前記直流電圧を安定化して回路電源を供給したり充電用コンデンサ４に充電電圧を供給するための電源回路１４を接続する。該充電用コンデンサ４はＲＦＩＤチップ３内の前記ＲＦＩＤ回路１０及びその周辺回路と後述のセンサインターフェース回路１３等をバッテリーレスにて駆動するため、大容量型の電気二重層コンデンサが好適であるが特に限定するものではない。
【００１７】
次に、上記ＲＦＩＤ回路１０の後段には、該ＲＦＩＤ回路１０内の変復調回路の制御や後述の強誘電体メモリであるＳｉＲＡＭ（Sensor Interface R A M：本願出願人の商標）１２に当該ＲＦＩＤチップ３の固有ＩＤ情報の書き込み又は読み出し制御等を行うためのロジック回路１１を接続し、更に該ロジック回路１１に前記ＳｉＲＡＭ１２を接続する。
【００１８】
次に、上記ＲＦＩＤタグ１の張り替えによる検出素子５の剥離又は破壊により、電圧，電流，周波数，位相の何れか一つの状態に変化を生じさせるセンサインターフェース回路１３を上記ロジック回路１１及びＳｉＲＡＭ１２に接続し、更に前記センサインターフェース回路１３に前記検出素子５を接続する。
【００１９】
また、図４は図３におけるセンサインターフェース回路の一実施例における回路図であり、検出素子５の剥離又は破壊により電圧に変化を生じさせる回路例を示している。該回路においては、回路電源Ｖｄｄとグランド間に抵抗Ｒ１と抵抗Ｒ２を接続し、更に抵抗Ｒ２に抵抗成分である検出素子５（抵抗値Ｒ５）を並列接続する。また、抵抗Ｒ１と、検出素子５を並列接続した抵抗Ｒ２との分圧点に入力抵抗Ｒ３を介してＯＰアンプ１５に入力すると共に、帰還抵抗Ｒ４を前記ＯＰアンプ１５の入出力間に接続し、該ＯＰアンプ１５の出力をＡ／Ｄ変換器１６に接続して構成する。ここで、Ｒ１＜Ｒ２，Ｒ２≫Ｒ５とすれば、通常時はＡ／Ｄ変換器１６の入力電圧は低い値であるが、検出素子５が剥離又は破壊により切断されて抵抗性分Ｒ５が無くなるとＡ／Ｄ変換器１６の入力電圧は高くなり、ＳｉＲＡＭ１２に蓄積されるＡ／Ｄ変換データが大きく変化することになる。
【００２０】
また、図７は本発明の不正使用検出機能付きＲＦＩＤタグを構成する第二発明の概略ブロック図であり、アンテナ２を、リーダー／ライターに接続したアンテナとの相互誘導により無線通信を行うため同調キャパシタから成る同調回路と、前記相互誘導により発生した誘導起電力の電圧波形を検波したり当該誘導起電力を半波又は全波整流して直流電圧を取り出すための整流回路２１と、前記検波したキャリアを分周してシステムクロックを生成するためのクロック生成回路２２と、信号受信時においてキャリアから信号を取り出す復調動作を行ったり信号送信時においてスイッチング素子により変調動作を行うための変復調回路２３から成るＲＦＩＤ回路１０に接続する。（後述の図８参照）また、該ＲＦＩＤ回路１０に、前記直流電圧を安定化して回路電源を供給したり充電用コンデンサ４に充電電圧を供給するための電源回路１４を接続する。該充電用コンデンサ４はＲＦＩＤチップ３内の前記ＲＦＩＤ回路１０及びその周辺回路等をバッテリーレスにて駆動するため、セラミックコンデンサが好適であるが特に限定するものではない。
【００２１】
次に、上記ＲＦＩＤ回路１０の後段には、該ＲＦＩＤ回路１０内の変復調回路の制御や後述の強誘電体メモリであるＳｉＲＡＭ（Sensor Interface R A M：本願出願人の商標）１２に当該ＲＦＩＤチップ３の固有ＩＤ情報の書き込み又は読み出し制御等を行うためのロジック回路１１を接続し、更に該ロジック回路１１に前記ＳｉＲＡＭ１２を接続する。
【００２２】
次に、上記ＲＦＩＤタグ１の張り替えによる検出素子５の剥離又は破壊により、ＲＦＩＤ回路１０内の同調回路において共振周波数ｆ０をΔｆ０分だけ微小変化させるための検出素子５を、前記ＲＦＩＤ回路１０内の同調回路に接続する。
【００２３】
また、図８は図７におけるＲＦＩＤ回路内の同調回路の一実施例における回路図であり、検出素子５の剥離又は破壊により共振周波数を微小変化させる回路例を示している。該回路においては、アンテナ２の片端に同調キャパシタＣ１を直列接続して整流回路２１に接続し、更に前記アンテナ２の両端に同調キャパシタＣ２を接続する。また、前記同調キャパシタＣ２に容量成分である検出素子５（容量値Ｃ３）を並列接続して構成する。ここで、通常時の共振周波数はｆ０であるが、検出素子５が剥離又は破壊により切断されて容量性分Ｃ３が無くなると共振周波数がΔｆ０分だけ微小変化し、リーダー／ライターとの無線通信におけるキャリア周波数もｆ０±Δｆ０に変化することになる。
【００２４】
なお、上記第一発明及び第二発明におけるＳｉＲＡＭ１２はＦＲＡＭ（Ferroelectric R A M：米国Ramtron社の登録商標）と同様の不揮発性メモリであり、回路電源がＯＦＦになっても当該ＲＦＩＤチップ３の固有ＩＤ情報は消失することはない。また、データの書込み電圧は、ＥＥＰＲＯＭやフラッシュメモリのように高圧に昇圧する必要がないため、昇圧回路が簡略化される。また、書き込み又は読み出し速度はＤＲＡＭと同等であり、ＥＥＰＲＯＭやフラッシュメモリよりはるかに高速であると共にセンサが必要とする処理単位（例えば４ビットや８ビット）にてアクセス可能という特徴を持つものである。このように、不揮発性メモリとしてはＳｉＲＡＭ１２が好適であるが、他のメモリを使用しても構わない。
【実施例】
【００２５】
本発明の実施例を図を用いて説明する。
【００２６】
図５は本発明の不正使用検出機能付きＲＦＩＤタグにおいて張り替えによる不正行為の有無を検出するための第一発明における動作図であり、（ａ）はアンテナ１８を接続したリーダー／ライター１７をＬＡＮを中継してサーバー１９に接続し、該リーダー／ライター１７より物品２０に貼付した正規のＲＦＩＤタグ１の固有ＩＤ情報を読み出す状況を示している。ここで、リーダー／ライター１７より物品２０に対し、キャリア周波数が１３．５６ＭＨｚ又は９５０ＭＨｚ帯等の駆動信号を送信すると、正規のＲＦＩＤタグ１は、固有ＩＤ情報に真のデータであることを示す“ｔｒｕｅ”データを付加して返信する。
【００２７】
図６は図５における応答信号のビット構成例であり、応答信号のビット構成は６４ビット又は１２８ビットが一般的であるが、該図においては応答信号を全１２８ビットとし、固有ＩＤ情報が１２０ビットで“ｔｒｕｅ／ｆａｌｓｅ”ビットを８ビットとした例を示している。上記図３及び図４の説明で述べたように、検出素子５が剥離又は破壊されていない状態においてはセンサインターフェース回路１３で出力されるＡ／Ｄ変換データは小さな値であり、予め決めた閾値より小さいことより、例えば“ｔｒｕｅ／ｆａｌｓｅ”ビットをオール０とする。また、検出素子５が剥離又は破壊された状態においてはセンサインターフェース回路１３で出力されるＡ／Ｄ変換データは大きな値であり、予め決めた閾値より大きいことより、例えば“ｔｒｕｅ／ｆａｌｓｅ”ビットをオール１とする。従って、固有ＩＤ情報が正規物品２０のデータの場合には“ｔｒｕｅ／ｆａｌｓｅ”ビットがオール０の“ｔｒｕｅ”データを付加し、固有ＩＤ情報が不正物品２０のデータの場合には“ｔｒｕｅ／ｆａｌｓｅ”ビットがオール１の“ｆａｌｓｅ”データを付加する。
【００２８】
また、図５の（ｂ）はリーダー／ライター１７より物品２０ａに貼付した張り替えによる不正なＲＦＩＤタグ１の固有ＩＤ情報を読み出す状況を示している。ここで、リーダー／ライター１７より物品２０ａに対し、キャリア周波数が１３．５６ＭＨｚ又は９５０ＭＨｚ帯等の駆動信号を送信すると、不正なＲＦＩＤタグ１は、固有ＩＤ情報に偽のデータであることを示す“ｆａｌｓｅ”データを付加して返信する。
【００２９】
従って、上記固有ＩＤ情報と“ｆａｌｓｅ”データをリーダー／ライター１７にて読み取り、サーバー１９等にて解析管理することにより、張り替えによる不正行為の有無と共に不正物品の検出が行なえることになる。
【００３０】
なお、上述の説明ではＲＦＩＤタグ１の張り替えによる検出素子５の剥離又は破壊により、センサインターフェース回路１３において電圧状態に変化が生じる例を示したが、回路構成を変えることにより電流，周波数，位相など他の状態変化が生じるようにしても構わない。
【００３１】
次に、図９は本発明の不正使用検出機能付きＲＦＩＤタグにおいて張り替えによる不正行為の有無を検出するための第二発明における動作図であり、（ａ）はアンテナ１８を接続したリーダー／ライター１７をＬＡＮを中継してサーバー１９に接続し、該リーダー／ライター１７より物品２０に貼付した正規のＲＦＩＤタグ１の固有ＩＤ情報を読み出す状況を示している。ここで、リーダー／ライター１７より物品２０に対し、キャリア周波数が１３．５６ＭＨｚ又は９５０ＭＨｚ帯等の駆動信号を送信すると、正規のＲＦＩＤタグ１は、固有ＩＤ情報が真のデータであることを示すキャリア周波数がｆ０の応答信号を返信する。
【００３２】
上記図７及び図８の説明で述べたように、検出素子５が剥離又は破壊されていない状態においてはＲＦＩＤ回路１０内の同調回路の共振周波数はｆ０であり、リーダー／ライター１７との無線通信におけるキャリア周波数もｆ０となる。また、検出素子５が剥離又は破壊された状態においてはＲＦＩＤ回路１０内の同調回路の共振周波数はΔｆ０分だけ微小変化し、リーダー／ライター１７との無線通信におけるキャリア周波数もｆ０±Δｆ０に変化することになる。
【００３３】
また、図９の（ｂ）はリーダー／ライター１７より物品２０ａに貼付した張り替えによる不正なＲＦＩＤタグ１の固有ＩＤ情報を読み出す状況を示している。ここで、リーダー／ライター１７より物品２０ａに対し、キャリア周波数が１３．５６ＭＨｚ又は９５０ＭＨｚ帯等の駆動信号を送信すると、不正なＲＦＩＤタグ１は、固有ＩＤ情報が偽のデータであることを示すキャリア周波数がｆ０±Δｆ０の応答信号を返信する。
【００３４】
従って、上記固有ＩＤ情報及び不正行為が有った場合におけるキャリア周波数ｆ０と、不正行為が無かった場合におけるキャリア周波数ｆ０±Δｆ０の2つのキャリア周波数による応答信号をリーダー／ライター１７にて読み取り、サーバー１９等にて解析管理することにより、張り替えによる不正行為の有無と共に不正物品の検出が行なえることになる。
【図面の簡単な説明】
【００３５】
【図１】本発明の不正使用検出機能付きＲＦＩＤタグの一実施例における表面図である。
【図２】図１におけるＡ−Ａ側面断面図である。
【図３】本発明の不正使用検出機能付きＲＦＩＤタグを構成する第一発明の概略ブロック図である。
【図４】図３におけるセンサインターフェース回路の一実施例における回路図である。
【図５】本発明の不正使用検出機能付きＲＦＩＤタグにおいて張り替えによる不正行為の有無を検出するための第一発明における動作図である。
【図６】図５における応答信号のビット構成例である。
【図７】本発明の不正使用検出機能付きＲＦＩＤタグを構成する第二発明の概略ブロック図である。
【図８】図７におけるＲＦＩＤ回路内の同調回路の一実施例における回路図である。
【図９】本発明の不正使用検出機能付きＲＦＩＤタグにおいて張り替えによる不正行為の有無を検出するための第二発明における動作図である。
【符号の説明】
【００３６】
１  ＲＦＩＤタグ
２  アンテナ
３  ＲＦＩＤチップ
４  充電用コンデンサ
５  検出素子
６  保護シート
７  基材シート
８  両面接着シート
９  貼付面
１０  ＲＦＩＤ回路
１１  ロジック回路
１２  ＳｉＲＡＭ
１３  センサインターフェース回路
１４  電源回路
１５  ＯＰアンプ
１６  Ａ／Ｄ変換器
１７  リーダー／ライター
１８  アンテナ
１９  サーバー
２０  物品
【図１】
2007018197.tif 000003
【図２】
2007018197.tif 000004
【図３】
2007018197.tif 000005
【図４】
2007018197.tif 000006
【図５】
2007018197.tif 000007
【図６】
2007018197.tif 000008
【図７】
2007018197.tif 000009
【図８】
2007018197.tif 000010
【図９】
2007018197.tif 000011